【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
画像データを記録したメモリと、
前記画像データを表示する表示モニタと、
前記表示モニタに重ねて配置されたタッチパネルと、
前記タッチパネルの操作位置を検出する検出回路と、
前記画像データと前記タッチパネルの操作領域を示す操作支援マークとを前記表示モニタに表示する第一の動作状態と、前記画像データのみを前記表示モニタに表示する第二の動作状態と、を切り替える切り替え手段と、
前記第一の動作状態において、前記タッチパネルの操作領域での摺動操作が行われたときに、前記検出回路により検出された少なくとも２つの異なる時点における前記操作領域での摺動操作に係る操作位置に基づき、摺動操作の移動量と方向とを算出し、この算出結果に基づき前記画像データの選択を行う選択手段と、
を有し、
前記操作支援マークは、半透明のドーナツ状の形状を有し、前記表示モニタの中央に表示される、
ことを特徴とする再生装置。
【請求項２】
画像データを記録したメモリと、
前記画像データを表示する表示モニタと、
前記表示モニタに重ねて配置されたタッチパネルと、
前記タッチパネルの操作位置を検出する検出回路と、
前記画像データと前記タッチパネルの操作領域を示す操作支援マークとを前記表示モニタに表示する第一の動作状態と、前記画像データのみを前記表示モニタに表示する第二の動作状態と、を切り替える切り替え手段と、
前記第一の動作状態において、前記タッチパネルの操作領域での摺動操作が行われたときに、前記検出回路により検出された少なくとも２つの異なる時点における前記操作領域での摺動操作に係る操作位置に基づき、摺動操作の移動量と方向とを算出し、この算出結果に基づき前記画像データの選択を行う選択手段と、
を有し、
前記操作支援マークは、半透明で前記表示モニタの対角線に沿って所定の幅を持った帯状の形状である、
ことを特徴とする再生装置。
【請求項３】
前記切り替え手段は、前記タッチパネルの操作領域での摺動操作の終了に応じて前記第一の動作状態から前記第二の動作状態へ切り替え、前記タッチパネルの何処かのタップ操作に応じて前記第二の動作状態から前記第一の動作状態へ切り替える、
ことを特徴とする請求項１又は２記載の再生装置。
【請求項４】
前記切り替え手段は、前記第一の動作状態において、前記タッチパネルの操作が所定時間行われないときは、前記第二の動作状態へ切り替え、前記タッチパネルの何処かのタップ操作に応じて前記第二の動作状態から前記第一の動作状態へ切り替える、
ことを特徴とする請求項１又は２記載の再生装置。
【請求項５】
請求項１乃至４のいずれか一項に記載の再生装置を有するデジタルカメラ。
【手続補正２】
【補正対象書類名】明細書
【補正対象項目名】発明の名称
【補正方法】変更
【補正の内容】
【発明の名称】画像データの再生装置及びデジタルカメラ
【手続補正３】
【補正対象書類名】明細書
【補正対象項目名】０００１
【補正方法】変更
【補正の内容】
【０００１】
本発明は、画像，音楽，書籍等の電子データを選択再生する装置に関する。
【手続補正４】
【補正対象書類名】明細書
【補正対象項目名】０００８
【補正方法】変更
【補正の内容】
【０００８】
このような理由から、これまでの再生装置においては、タッチパネルを用いて、画像，音楽，書籍等の所望の電子データを容易な操作で選択再生することができなかった。
本発明は、上記実情に鑑み、タッチパネルを用いて、画像，音楽，書籍等の所望の電子データを容易な操作で選択再生することができる装置を提供することを目的とする。
【手続補正５】
【補正対象書類名】明細書
【補正対象項目名】０００９
【補正方法】変更
【補正の内容】
【０００９】
上記目的を達成するため、本発明の第１の態様に係る再生装置は、画像データを記録したメモリと、前記画像データを表示する表示モニタと、前記表示モニタに重ねて配置されたタッチパネルと、前記タッチパネルの操作位置を検出する検出回路と、前記画像データと前記タッチパネルの操作領域を示す操作支援マークとを前記表示モニタに表示する第一の動作状態と、前記画像データのみを前記表示モニタに表示する第二の動作状態と、を切り替える切り替え手段と、前記第一の動作状態において、前記タッチパネルの操作領域での摺動操作が行われたときに、前記検出回路により検出された少なくとも２つの異なる時点における前記操作領域での摺動操作に係る操作位置に基づき、摺動操作の移動量と方向とを算出し、この算出結果に基づき前記画像データの選択を行う選択手段と、を有し、前記操作支援マークは、半透明のドーナツ状の形状を有し、前記表示モニタの中央に表示される、ことを特徴とする。
【手続補正６】
【補正対象書類名】明細書
【補正対象項目名】００１０
【補正方法】変更
【補正の内容】
【００１０】
本発明の第２の態様に係る再生装置は、画像データを記録したメモリと、前記画像データを表示する表示モニタと、前記表示モニタに重ねて配置されたタッチパネルと、前記タッチパネルの操作位置を検出する検出回路と、前記画像データと前記タッチパネルの操作領域を示す操作支援マークとを前記表示モニタに表示する第一の動作状態と、前記画像データのみを前記表示モニタに表示する第二の動作状態と、を切り替える切り替え手段と、前記第一の動作状態において、前記タッチパネルの操作領域での摺動操作が行われたときに、前記検出回路により検出された少なくとも２つの異なる時点における前記操作領域での摺動操作に係る操作位置に基づき、摺動操作の移動量と方向とを算出し、この算出結果に基づき前記画像データの選択を行う選択手段と、を有し、前記操作支援マークは、半透明で前記表示モニタの対角線に沿って所定の幅を持った帯状の形状である、ことを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
本発明の第３の態様に係る再生装置は、上記第１又は２の態様において、前記切り替え手段は、前記タッチパネルの操作領域での摺動操作の終了に応じて前記第一の動作状態から前記第二の動作状態へ切り替え、前記タッチパネルの何処かのタップ操作に応じて前記第二の動作状態から前記第一の動作状態へ切り替える、構成である。
【手続補正９】
【補正対象書類名】明細書
【補正対象項目名】００１３
【補正方法】変更
【補正の内容】
【００１３】
本発明の第４の態様に係る再生装置は、上記第１又は２の態様において、前記切り替え手段は、前記第一の動作状態において、前記タッチパネルの操作が所定時間行われないときは、前記第二の動作状態へ切り替え、前記タッチパネルの何処かのタップ操作に応じて前記第二の動作状態から前記第一の動作状態へ切り替える、構成である。
【手続補正１０】
【補正対象書類名】明細書
【補正対象項目名】００１４
【補正方法】変更
【補正の内容】
【００１４】
本発明の第５の態様に係るデジタルカメラは、上記第１乃至４のいずれか一つの再生装置を有するデジタルカメラである。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】